(57)【特許請求の範囲】
【請求項１】
建物に固定する引き戸枠（１）と、この引き戸枠（１）内に組み込んだ引き戸（２）とからなり、引き戸枠（１）が、３本の縦枠材（３）、（４）、（５）と上枠材（６）及び下枠材（７）を用い、一方の端部に位置する縦枠材（３）と中間に位置する縦枠材（５）の間が出入り用の開口部分となり、中間に位置する縦枠材（５）と他方の端部に位置する縦枠材（４）の間が引き戸（２）の収納部分となるように組み立てられ、これら縦枠材（３）、（４）、（５）と上枠材（６）及び下枠材（７）の各々を、外表面に合成樹脂の擬似木質外装を施した鋼板の折り曲げ材を用いて形成し、この引き戸枠（１）の内部に、前記出入り用の開口部分を開閉する引き戸（２）を、上枠材（６）及び下枠材（７）に設けたレール（１２）と（１３）に沿って移動可能となるよう組み込み、この引き戸（２）が、枠体（３７）の両面に鋼製の外装板（３９）を張設し、枠体（３７）と外装板（３９）で囲まれた内部空間に樹脂発泡体（４２）を充填して形成され、前記引き戸枠（１）の下枠材（７）に設けた溝状のレール（１３）にアルミ型材を用いた断面Ｍ字状のレール部材（４３）を嵌め込んで取り付け、前記引き戸（２）は、枠体（３７）の上面に設けた凹溝（３９）が下枠材（７）に設けたレール（１２）に嵌合し、この引き戸（２）の下部に設けた戸車（４０）が前記レール部材（４３）の上面の溝に嵌まり合って該引き戸（２）の移動を誘導している室内用引き戸装置。
【発明の詳細な説明】
【０００１】
【発明の属する技術分野】
この発明は、室内用引き戸装置、更に詳しくは、マンションやアパートの如き建物の室内における間仕切り壁等に設ける引き戸装置に関する。
【０００２】
【従来の技術】
マンションやアパートの如き建物の室内における間仕切り壁等に設ける従来の引き戸装置は、引き戸枠を木製の角材を用いて枠状に形成し、これを間仕切り壁の開口部分に固定すると共に、この引き戸枠の内部に引き戸を移動可能となるよう組み込んだ構造が採用されている。
【０００３】
【発明が解決しようとする課題】
ところで、木製の引き戸枠は、木質のぬくもり感が得られる反面、強度的に劣り、角材の伸縮や荷重を受けて経時的に変形し、引き戸の円滑な移動が困難になったり、閉鎖時に引き戸枠と引き戸の間に隙間が発生し、密閉性が低下すると共に、物が当たれば簡単に傷がつくという問題がある。
【０００４】
そこで、この発明の課題は、引き戸枠を鋼製化すると共に木質のぬくもり感を維持できるようにし、物が当たっても傷がつき難く、引き戸枠の経時的な変形の発生をなくして常に引き戸の円滑な移動が得られる引き戸装置を提供することにある。
【０００５】
【課題を解決するための手段】
上記の課題を解決するため、この発明は、建物に固定する引き戸枠と、この引き戸枠内に組み込んだ引き戸とからなり、引き戸枠が、３本の縦枠材と上枠材及び下枠材を用い、一方の端部に位置する縦枠材と中間に位置する縦枠材の間が出入り用の開口部分となり、中間に位置する縦枠材と他方の端部に位置する縦枠材の間が引き戸の収納部分となるように組み立てられ、これら縦枠材と上枠材及び下枠材の各々を、外表面に合成樹脂の擬似木質外装を施した鋼板の折り曲げ材を用いて形成し、この引き戸枠の内部に、前記出入り用の開口部分を開閉する引き戸を、上枠材及び下枠材に設けたレールに沿って移動可能となるよう組み込み、この引き戸が、枠体の両面に鋼製の外装板を張設し、枠体と外装板で囲まれた内部空間に樹脂発泡体を充填して形成され、前記引き戸枠の下枠材に設けた溝状のレールにアルミ型材を用いた断面Ｍ字状のレール部材を嵌め込んで取り付け、前記引き戸は、枠体の上面に設けた凹溝が下枠材に設けたレールに嵌合し、この引き戸の下部に設けた戸車が前記レール部材の上面の溝に嵌まり合って該引き戸の移動を誘導している構成を採用したものである。
【０００７】
【発明の実施の形態】
以下、この発明の実施の形態を図示例と共に説明する。
【０００８】
図１乃至図３に示すように、引き戸装置は、建物側に固定する鋼製の引き戸枠１と、この引き戸枠１内に開閉動するよう組み込んだ引き戸２とからなり、鋼製の引き戸枠１が、３本の縦枠材３、４、５と上枠材６及び下枠材７を用いて組み立てられ、一方の端部に位置する縦枠材３と中間に位置する縦枠材４の間が出入り用の開口部分となり、中間に位置する縦枠材４と他方の端部に位置する縦枠材５の間が壁材Ａによって閉鎖され、この壁材Ａの一面側に出入り用の開口部分を開閉する引き戸２の収納部分を確保した構造になっている。
【０００９】
一方の端部に位置する縦枠材３は、図３乃至図５に示すように、幅方向に長い断面長方形状で外面側が内方へ凹入し、この凹入部分８が壁材Ａの嵌合部分となり、その底部を切り離し状にした断面形状を有し、３本の縦枠材３、４、５の内で最も広幅になっている。
【００１０】
他方の端部に位置する縦枠材５は、図３と図７の如く、上記縦枠材３の略半分程度の幅を有する矩形状で外面側が開放し、外面側の一方側部内側に壁材Ａの嵌合部分となる凹入部分９を連ねた断面形状になり、中間に位置する縦枠材４は、図３と図６の如く、上記縦枠材５と略同様で凹入部分１０が幅方向の反対側に位置する断面形状を有している。
【００１１】
上枠材６は、図４と図６の如く、縦枠材３と略同様の幅の矩形状で壁材Ａの嵌合部分となる凹入部分１１が上面側に位置する断面形状を有し、下面側で一方に片寄った位置に下方へ突出するレール１２が長さ方向の全長にわたって設けられ、中間縦枠材４と他方縦枠材５の間に位置する部分が、他方縦枠材５の幅に合うように細幅になっている。
【００１２】
下枠材７は、図３と図６の如く、縦枠材３と略同様の幅の矩形状で下面が開放する断面形状を有し、上面側で一方に片寄った位置に溝状のレール１３が設けられ、中間縦枠材４と他方縦枠材５の間に位置する部分が、他方縦枠材５の幅に合うように細幅になっている。
【００１３】
上記した引き戸枠１の各構成材は、鋼板を用いて所定の断面形状に折り曲げ加工した折り曲げ材で形成され、それぞれの折り曲げ材の外表面は、塩化ビニル等の合成樹脂を用い、表面に木目を印刷した擬似木質外装１４によって被覆され、引き戸枠１は見た目に木質のぬくもりをもった仕上がりになっている。
【００１４】
図４と図９は、上枠材６と一方側部の縦枠材３の結合構造を示し、上枠材６の端部と縦枠材３の上端を、突き合わせによって互いに嵌合する端部形状に加工し、縦枠材３内に上部から嵌挿する断面コ字状部１５と、上枠材６の端部内に対する嵌合部１６とを一体に設けた接続金具１７を用い、上枠材６と縦枠材３の端部を直角に結合している。
【００１５】
図６と図１０は、上枠材６の途中と中間縦枠材４の結合構造を示し、上枠材６の途中の切り欠き端部にＬ型の接続金具１８をリベット止めによって固定し、中間縦枠材４の上部側面を接続金具１８に当接させ、中間縦枠材４と接続金具１８及び前記した上枠材６と縦枠材３を接続する接続金具１７とを通しボルト１９で結合している。
【００１６】
図７と図１１は、上枠材６の端部と他方側部の縦枠材５の結合構造を示し、上枠材６の端部にＬ型の接続金具２０をリベット止めによって固定し、縦枠材５の上部側面に設けた凹欠部分を接続金具２０と上枠材６の端部との間に挿入し、この上枠材６から接続金具２０と前記した上枠材６と縦枠材３を接続する接続金具１７を、レール１２の形成溝内に納まる通しボルト２１で結合している。
【００１７】
上記のように、上枠材６と各縦枠材３、４、５は、接続金具１７、１８、２０と通しボルト１９、２１を用いて、直角の配置で強固に結合されている。
【００１８】
図５と図９は、下枠材７と一方側部の縦枠材３の結合構造を示し、下枠材７の端部にＬ型の接続金具２２をリベット止めによって固定し、縦枠材３の下部側面を接続金具２２に当接させ、縦枠材３と接続金具２２の重なり部分をビスで固定することにより、下枠材７と一方側部の縦枠材３を直角に結合している。
【００１９】
図６と図１０は、下枠材７の途中と中間縦枠材４の結合構造を示し、下枠材７の途中の切り欠き端部にＬ型の接続金具２３をリベット止めによって固定し、中間縦枠材４の下部側面を接続金具２３に当接させ、中間縦枠材４と接続金具２３の重なり部分をビスで固定することにより、下枠材７と中間縦枠材４を直角に結合している。
【００２０】
図７と図１１は、下枠材７の端部と他方側部の縦枠材５の結合構造を示し、下枠材７の端部にＬ型の接続金具２４をリベット止めによって固定し、縦枠材５の下部側面を接続金具２４に当接させ、縦枠材５と接続金具２４の重なり部分をビスで固定することにより、下枠材７と縦枠材５を直角に結合している。
【００２１】
上記のように、上枠材６と各縦枠材３、４、５は、接続金具１７、１８、２０と通しボルト１９、２１を用いて、直角の配置で結合され、下枠材７と各縦枠材３、４、５が接続金具２２、２３、２４とビス用いた締結で結合され、これによって引き戸枠１が枠状となるよう強固に組み立てられている。
【００２２】
上記引き戸枠１を建物に固定するため、第１乃至第３のアンカー金具２５、２６、２７が用いられている。第１のアンカー金具２５は、図５に示すように、縦枠材３の外側凹部に納まる矩形状プレートの一面に、切り起こしによって形成した一対のフック２８と、フック２８間に突起２９を設けて形成され、縦枠材３と上枠材６の各々の背面側で所定の位置にリベット固定される。
【００２３】
第２のアンカー金具２６は、図２乃至図５に示すように、縦縁材３０及び上縁材３１に外嵌して釘止めするコ字状に形成され、第１のアンカー金具２５のフック２８に差込み、透孔３２を突起２９と係合させることにより、第１のアンカー金具２５と結合し、縦枠材３と上枠材６を縦縁材３０及び上縁材３１に対して固定化するものである。
【００２４】
第３のアンカー金具２７は、図７に示すように、金属板をＬ型に折り曲げて形成され、縦枠材５にリベット止めした状態で縦縁材３０に釘止めし、縦枠材５を縦縁材３０に固定するものである。
【００２５】
図２は、下枠材７と床との構造を示し、下枠材７と床面との間に下地３３と框３４を介在させ、下枠材７を挟む一方側には床面上に床材３５を直接敷設すると共に、他方側に下枠材７の上面と略同じ高さとなるよう床材３６を敷設するようにしている。
【００２６】
図８は、引き戸枠１内に組み込む引き戸２を示し、アルミ型材等を用いて組み立てた枠体３７の両面側に、表面に合成樹脂の擬似木質外装を施した鋼製の外装板３８を張設し、該枠体３７の上面にレール１２へ嵌合する凹溝３９を形成し、枠体３７の下部に戸車４０を設け、両外装板３８に引手４１を装着すると共に、両外装板３８で閉鎖された枠体３７の内部空間にウレタン等の発泡体４２を充填した構造になっている。
【００２７】
なお、引き戸２は、図示のような構造に限るものではなく、木製の構造を採用することもできる。
【００２８】
引き戸枠１における下枠材７の溝状のレール１３に、別体のレール部材４３を嵌め込み、下枠材７の磨耗発生を防止している。このレール部材４３は、図２に示すように、断面Ｍ字状のアルミ型材を用い、レール１３内に嵌め込ことにより、上面の溝内を引き戸２の戸車４０が転動することになる。
【００２９】
この発明の引き戸枠は、上記のような構成であり、枠状に組み立てた引き戸枠１を、建物の室内における壁面の開口部を構成する縦縁材３０、３０と上縁材３１とに、上記したアンカー金具２５乃至２７を用いて固定し、図２と図３に示すように、縦縁材３０、３０と上縁材３１の両面に壁材Ａを張設し、引き戸枠１内に組み込んだ引き戸２で開閉自在となる出入り口を構成する。
【００３０】
引き戸枠１と引き戸２は、表面に合成樹脂の擬似木質外装を施した鋼板製であるので、傷がつき難く、強度的に優れていると共に、擬似木質外装により、木のぬくもりを表現でき、室内の出入り口が内装の面で違和感なく構成できる。
【００３１】
【発明の効果】
以上のように、この発明によると、３本の縦枠材と上枠材及び下枠材を用い、出入り用の開口部分と引き戸の収納部分を有する引き戸枠を組み立て、これら縦枠材と上枠材及び下枠材の各々を、外表面に合成樹脂の擬似木質外装を施した鋼板の折り曲げ材を用いて形成し、この引き戸枠の内部に引き戸を、上枠材及び下枠材に設けたレールに沿って移動可能となるように組み込んだので、室内の壁に設ける出入り口用引き戸の引き戸枠を鋼製化することにより、強度的に強く、物が当たっても傷付き難く、しかも、中間に縦枠材を設けることにより、引き戸枠の経時的な変形の発生をなくし、常に引き戸の円滑な移動が得られると共に、引き戸枠を鋼製化しても木質のぬくもり感を維持することができ、室内に鋼製引き戸を内装的に違和感なく設置でき、更に、引き戸枠の下枠材に設けた溝状のレールにアルミ型材を用いた断面Ｍ字状のレール部材を嵌め込んで取り付けることにより、下枠材の磨耗発生を防ぐことができる。
【図面の簡単な説明】
【図１】室内用引き戸装置の正面図
【図２】室内用引き戸装置の縦断側面図
【図３】室内用引き戸装置の横断平面図
【図４】一方端部縦枠材と上枠材の関係を示す分解斜視図
【図５】一方端部縦枠材と下枠材の関係を示す分解斜視図
【図６】中間縦枠材と上枠材及び下枠材の関係を示す分解斜視図
【図７】他方縦枠材と上枠材及び下枠材の関係を示す分解斜視図
【図８】（Ａ）は引き戸の一部切り欠き正面図、（Ｂ）は同上の横断平面図、（Ｃ）は同上の縦断側面図
【図９】一方縦枠材と上枠材及び下枠材の結合状態を示す縦断面図
【図１０】中間縦枠材と上枠材及び下枠材の結合状態を示す縦断面図
【図１１】他方縦枠材と上枠材及び下枠材の結合状態を示す縦断面図
【符号の説明】
１  引き戸枠
２  引き戸
３  縦枠材
４  縦枠材
５  縦枠材
６  上枠材
７  下枠材
１２  レール
１３  レール
【図１】
0003810547.tif 000002
【図２】
0003810547.tif 000003
【図３】
0003810547.tif 000004
【図４】
0003810547.tif 000005
【図５】
0003810547.tif 000006
【図６】
0003810547.tif 000007
【図７】
0003810547.tif 000008
【図８】
0003810547.tif 000009
【図９】
0003810547.tif 000010
【図１０】
0003810547.tif 000011
【図１１】
0003810547.tif 000012